(57)【要約】【課題】あい異なる給水装置の給水チューブを内視鏡の第１と第２の送水口金に対して簡単に接続及び分離することができる内視鏡の給水接続アダプタを提供すること。【解決手段】第１と第２の送水口金５，６に同時に接続及び分離自在に並列に設けられた第１と第２の接続口金２２，３２と、あい異なる給水装置５０，６０の給水チューブ５１，６１の先端に取り付けられた第１と第２の給水口金５３，６３を接続及び分離自在な第１と第２の受け口金２３，３３と、第１の接続口金２２と第１の受け口金２３とを連通させる第１の連通路２４と、第２の接続口金３２と第２の受け口金３３とを連通させる第２の連通路３４とを、一体的に一つのブロック２１に設けた。【選択図】      図１
2006167064.tif 000002
【特許請求の範囲】
【請求項１】
内視鏡に内蔵された２系統の送水管路の入口部に個別に並列に設けられた第１と第２の送水口金にあい異なる給水装置の給水チューブを接続するための内視鏡の給水接続アダプタであって、
上記第１と第２の送水口金に同時に接続及び分離自在に並列に設けられた第１と第２の接続口金と、上記のあい異なる給水装置の給水チューブの先端に取り付けられた第１と第２の給水口金を接続及び分離自在な第１と第２の受け口金と、上記第１の接続口金と上記第１の受け口金とを連通させる第１の連通路と、上記第２の接続口金と上記第２の受け口金とを連通させる第２の連通路とを、一体的に一つのブロックに設けたことを特徴とする内視鏡の給水接続アダプタ。
【請求項２】
上記の各送水口金と各接続口金との接続部及び上記の各給水口金と各受け口金との接続部に、各々接続部をシールするためのシール部材と接続状態を保持するためのクリック部材とが配置されている請求項１記載の内視鏡の給水接続アダプタ。
【請求項３】
上記第１と第２の接続口金が、各々上記ブロックから突出する状態に配置されている請求項１又は２記載の内視鏡の給水接続アダプタ。
【発明の詳細な説明】
【技術分野】
【０００１】
この発明は内視鏡の給水接続アダプタに関する。
【背景技術】
【０００２】
一般に胃腸検査用の内視鏡には、観察窓の表面を洗浄するための送水管路が内蔵されているが、大腸検査用の内視鏡等にはさらに、観察対象である粘膜面に付いた便などを洗い流すための第２の送水管路が内蔵されている。
【０００３】
そのような観察窓洗浄用の第１の送水管路の入口部と観察対象洗浄用の第２の送水管路の入口部とには、第１と第２の送水口金が個別に設けられていて、第１の送水口金には自動給水用の送水タンクの給水チューブを接続し、第２の送水口金には手動給水具の給水チューブを接続するようになっている（例えば、特許文献１）。
【特許文献１】特開平１０−２７６９６８
【発明の開示】
【発明が解決しようとする課題】
【０００４】
しかし、そのような構成の内視鏡では、使用準備の際に、送水タンクの給水チューブと手動給水具の給水チューブを第１と第２の送水口金に個別に接続しなければならないので面倒である。
【０００５】
これは、単に二つだから面倒であるということではなく、給水チューブは送水口金に接続されるまではブラブラしていて位置が定まらず、着脱時にはシール機構やクリック機構を係脱させるための気を使う動作が必要なので、二つの給水チューブを個別に接続する作業は、例えば二つ並んだスイッチを操作するような動作に比べて非常に面倒なのである。
【０００６】
そこで本発明は、あい異なる給水装置の給水チューブを内視鏡の第１と第２の送水口金に対して簡単に接続及び分離することができる内視鏡の給水接続アダプタを提供することを目的とする。
【課題を解決するための手段】
【０００７】
上記の目的を達成するため、本発明の内視鏡の給水接続アダプタは、内視鏡に内蔵された２系統の送水管路の入口部に個別に並列に設けられた第１と第２の送水口金にあい異なる給水装置の給水チューブを接続するための内視鏡の給水接続アダプタであって、第１と第２の送水口金に同時に接続及び分離自在に並列に設けられた第１と第２の接続口金と、あい異なる給水装置の給水チューブの先端に取り付けられた第１と第２の給水口金を接続及び分離自在な第１と第２の受け口金と、第１の接続口金と第１の受け口金とを連通させる第１の連通路と、第２の接続口金と第２の受け口金とを連通させる第２の連通路とを、一体的に一つのブロックに設けたものである。
【０００８】
なお、各送水口金と各接続口金との接続部及び各給水口金と各受け口金との接続部に、各々接続部をシールするためのシール部材と接続状態を保持するためのクリック部材とが配置されている場合に、特に本発明の効果が顕著である。
【０００９】
また、第１と第２の接続口金が、各々ブロックから突出する状態に配置されていてもよい。
【発明の効果】
【００１０】
本発明によれば、第１と第２の送水口金に同時に接続及び分離自在に並列に設けられた第１と第２の接続口金と、あい異なる給水装置の給水チューブの先端に取り付けられた第１と第２の給水口金を接続及び分離自在な第１と第２の受け口金と、第１の接続口金と第１の受け口金とを連通させる第１の連通路と、第２の接続口金と第２の受け口金とを連通させる第２の連通路とが、一体的に一つのブロックに設けられているので、あい異なる給水装置の給水チューブを内視鏡の第１と第２の送水口金に対してワンタッチで簡単に接続及び分離することができる。
【発明を実施するための最良の形態】
【００１１】
内視鏡に内蔵された２系統の送水管路の入口部に個別に並列に設けられた第１と第２の送水口金にあい異なる給水装置の給水チューブを接続するための内視鏡の給水接続アダプタであって、第１と第２の送水口金に同時に接続及び分離自在に並列に設けられた第１と第２の接続口金と、あい異なる給水装置の給水チューブの先端に取り付けられた第１と第２の給水口金を接続及び分離自在な第１と第２の受け口金と、第１の接続口金と第１の受け口金とを連通させる第１の連通路と、第２の接続口金と第２の受け口金とを連通させる第２の連通路とを、一体的に一つのブロックに設ける。
【実施例】
【００１２】
図面を参照して本発明の実施例を説明する。
図２は内視鏡の外観図であり、可撓性の挿入部１の基端に操作部２が連結され、図示されていないビデオプロセッサ（兼光源装置）に接続されるコネクタ部４が、操作部２から後方に延出する連結可撓管３の先端に取り付けられている。
【００１３】
そして、図２には図示されていない送水タンク（第１の給水装置）からの給水チューブを接続するための第１の送水口金５と、手動給水具（第２の給水装置）からの給水チューブを接続するための第２の送水口金６とがコネクタ部４の側面に配置されている。
【００１４】
図３は、内視鏡の配管図であり、操作部２内を経由して連結可撓管３内から挿入部１内に全長にわたって、送気管路１０、第１の送水管路１１、第２の送水管路１２及び吸引管路１３等が挿通配置されている。
【００１５】
送気管路１０は、挿入部１の先端に配置された観察窓の表面に向かって吹きつけられる空気を通すためのもの、第１の送水管路１１は観察窓の表面に向かって吹きつけられる水を通すためのもの、第２の送水管路１２は観察対象に向かって吹きつけられる水を通すためのもの、吸引管路１３は挿入部１の先端側から体内汚物や空気等を排出させるためのものである。
【００１６】
そして、コネクタ部４において、第１の送水管路１１の入口に取り付けられた第１の送水口金５が外方に向けて突設され、それと平行に第２の送水管路１２の入口に取り付けられた第２の送水口金６が外方に向けて突設されている。
【００１７】
また、第１の送水口金５を囲んで設けられた送気口金５ａに送気管路１０が接続され、図示されていない外部吸引チューブが着脱される吸引口金１４に吸引管路１３が接続されている。
【００１８】
２０は本発明の給水接続アダプタであり、第１の給水装置である送水タンク５０から延出している第１の給水チューブ５１と、第２の給水装置である手動給水具６０から延出している第２の給水チューブ６１とが接続されて、それらを第１の送水口金５と第２の送水口金６にワンタッチで接続及び分離することができる。
【００１９】
なお、送水タンク５０は、内部に貯留されている水を加圧空気によって送出する公知の構成を有するものであり、操作部２に配置されている操作弁１５によって任意の時に送気及び送水動作を行うことができる。手動給水具６０は、例えば注射筒等を利用したものである。
【００２０】
第１の給水チューブ５１と第２の給水チューブ６１は、給水接続アダプタ２０が用いられない場合には、図４に示されるように、第１の送水口金５と第２の送水口金６に個別に着脱することができるようになっている。図４において、５ｓはシール用のＯリング、６ａは逆止弁である。
【００２１】
また、５２は、第１の給水チューブ５１を囲んで配置された給気チューブ、５３は、第１の給水チューブ５１の出口に接続固着された第１の給水口金、５５と５６は、接続部シール用のＯリングとクリック用のＣリング、６３は、第２の給水チューブ６１の出口に接続固着された第２の給水口金、６５と６６は、接続部シール用のＯリングとクリック用のＣリングである。
【００２２】
図５は給水接続アダプタ２０を単体で示しており、コネクタ部４側の第１の送水口金５と第２の送水口金６とに同時に接続及び分離自在なように、送水タンク５０の第１の給水口金５３と同じ形状に形成された第１の接続口金２２と、手動給水具６０の第２の給水口金６３と同じ形状に形成された第２の接続口金３２とが、並列に突出して設けられている。
【００２３】
そして、送水タンク５０の第１の給水口金５３と手動給水具６０の第２の給水口金６３とを接続及び分離自在なようにブロック２１から窪んで設けられた第１の受け口金２３及び第２の受け口金３３と、第１の接続口金２２と第１の受け口金２３とを連通させる第１の連通路２４と、第２の接続口金３２と第２の受け口金３３とを連通させる第２の連通路３４とが、第１の接続口金２２及び第２の接続口金３２と共に、硬質のプラスチック材等からなるブロック２１に取り付け又は直接加工されて全体が一体に構成されている。２９は、送気の受け口である。
【００２４】
２５，３５はコネクタ部４側との接続部シール用のＯリング、２６，３６はクリック用のＣリング、２８，３８は固定部シール用のＯリングである。また、２７は送水タンク５０側との接続部シール用のＯリングである。
【００２５】
なお、接続部シール用のＯリング５ｓ，２５，３５，５５，６５は接続部をシールするためのもの、Ｃリング２６，３６，５６，６６は接続状態を保持するためのものである。
このように構成された給水接続アダプタ２０は、図１に示されるように、送水タンク５０の第１の給水チューブ５１の先端に設けられた第１の給水口金５３が第１の受け口金２３に接続され、手動給水具６０の第２の給水チューブ６１の先端に設けられた第２の給水口金６３が第２の受け口金３３に接続された状態で取り扱われる。
【００２６】
なお、この状態においては、第１の受け口金２３と第１の給水口金５３との接続部がＯリング２７によってシールされると同時に、Ｃリング５６によるクリック作用がその接続部の抜け止めとして機能し、第２の受け口金３３と第２の給水口金６３との接続部がＯリング６５によってシールされると同時に、Ｃリング６６によるクリック作用がその接続部の抜け止めとして機能する。
【００２７】
このようにして、送水タンク５０の第１の給水チューブ５１と手動給水具６０の第２の給水チューブ６１とが給水接続アダプタ２０の第１の接続口金２２と第２の接続口金３２とに連通する状態にクリック固定された状態で、第１の接続口金２２と第２の接続口金３２をコネクタ部４側の第１の送水口金５と第２の送水口金６に対してワンタッチで接続及び分離することができる。
【００２８】
図６は、そのようにして第１の給水チューブ５１と第２の給水チューブ６１とが内視鏡の第１の送水管路１１と第２の送水管路１２とに連通接続された状態を示しており、第１の接続口金２２と第１の送水口金５との接続部がＯリング５ｓによってシールされると同時に、Ｃリング２６によるクリック作用がその接続部の抜け止めとして機能し、第２の接続口金３２と第２の送水口金６との接続部がＯリング３５によってシールされると同時に、Ｃリング３６によるクリック作用がその接続部の抜け止めとして機能するようになっている。
【図面の簡単な説明】
【００２９】
【図１】本発明の実施例の内視鏡の給水接続アダプタの使用状態の側面断面図である。
【図２】本発明の実施例の内視鏡の外観図である。
【図３】本発明の実施例の内視鏡の配管図である。
【図４】本発明の実施例の内視鏡の給水接続アダプタが用いられない状態の接続部の側面断面図である。
【図５】本発明の実施例の内視鏡の給水接続アダプタの単体の側面断面図である。
【図６】本発明の実施例の内視鏡の給水接続アダプタによる接続状態の側面断面図である。
【符号の説明】
【００３０】
５  第１の送水口金
５ｓ  Ｏリング（シール部材）
６  第２の送水口金
１１  第１の送水管路
１２  第２の送水管路
２０  給水接続アダプタ
２１  ブロック
２２  第１の接続口金
２３  第１の受け口金
２４  第１の連通路
２６  Ｃリング（クリック部材）
２７  Ｏリング（シール部材）
３２  第２の接続口金
３３  第２の受け口金
３４  第２の連通路
３５  Ｏリング（シール部材）
３６  Ｃリング（クリック部材）
５０  送水タンク（第１の給水装置）
５１  第１の給水チューブ
５３  第１の給水口金
５５  Ｏリング
５６  Ｃリング（クリック部材）
６０  手動給水具（第２の給水装置）
６１  第２の給水チューブ
６３  第２の給水口金
６５  Ｏリング（シール部材）
６６  Ｃリング（クリック部材）
【図１】
2006167064.tif 000003
【図２】
2006167064.tif 000004
【図３】
2006167064.tif 000005
【図４】
2006167064.tif 000006
【図５】
2006167064.tif 000007
【図６】
2006167064.tif 000008